(57)【要約】【課題】  ユーザにとっての利便性を向上させることができる電子機器及び情報提示システムを得る。【解決手段】  デジタルカメラ１０により、当該デジタルカメラ１０に装着されたメモリカードの残記録容量に関連する残量関連情報（撮影可能枚数情報）を無線通信部６６によって送信する。また、レジスタ７０によって当該情報を無線通信部７６によって受信し、当該情報に関する情報を無線通信部７６によって送信する。更に、情報表示装置８０により、当該情報を無線通信部８６によって受信して情報表示部８４により表示する。【選択図】        図１
2005086743.tif 000002
【特許請求の範囲】
【請求項１】
撮影機能を備えた電子機器であって、
前記撮影機能による撮影によって得られた被写体像を示す画像情報を記録するための記録手段と、
前記記録手段の残記録容量を検出する検出手段と、
前記検出手段により検出された前記残記録容量に関連する残量関連情報を無線信号として送信する通信手段と、
を備えた電子機器。
【請求項２】
販売品とされた電子機器であって、
前記電子機器の販売日を示す販売日情報を入力する入力手段と、
前記入力手段により入力された前記販売日情報を記憶する不揮発性の記憶手段と、
前記記憶手段に記憶された前記販売日情報を無線信号として送信する通信手段と、
を備えた電子機器。
【請求項３】
前記入力手段を、前記販売日情報を無線信号として受信することにより入力するものとした
請求項２記載の電子機器。
【請求項４】
前記記憶手段は、前記販売日情報を読み出し専用の情報として記憶する
請求項２又は請求項３記載の電子機器。
【請求項５】
前記通信手段を、電磁誘導により駆動されるものとした
請求項１乃至請求項４の何れか１項記載の電子機器。
【請求項６】
前記通信手段による通信動作を行うか否かを示す指示情報を入力する指示入力手段と、
前記指示入力手段により入力された前記指示情報に応じて前記通信手段による通信動作を切り替える切替手段と、
を更に備えた請求項１乃至請求項５の何れか１項記載の電子機器。
【請求項７】
請求項１乃至請求項６の何れか１項記載の電子機器と、
前記電子機器の前記通信手段により送信された情報を受信する受信手段、及び当該受信手段により受信された情報に関する情報を提示する提示手段を備えた情報提示装置と、
を含む情報提示システム。
【請求項８】
前記提示手段は、前記受信手段により受信された情報が前記残量関連情報であり、かつ当該残量関連情報により示される量が所定量以下であるとき、前記電子機器の前記記録手段に記録された画像情報により示される被写体像の印刷を促す情報、前記記録手段に記録された画像情報のバックアップを促す情報、及び前記記録手段の交換を促す情報、の少なくとも１つを提示する
請求項７記載の情報提示システム。
【請求項９】
前記提示手段は、前記受信手段により受信された情報が前記販売日情報であり、かつ当該販売日情報により示される販売日からの経過日数が所定日数以下であるとき、予め定められたサービスが受けられる旨を示す情報を提示する
請求項７記載の情報提示システム。
【請求項１０】
前記提示手段を、表示により情報を提示する表示提示手段及び音声により情報を提示する音声提示手段の少なくとも一方とした
請求項７乃至請求項９の何れか１項記載の情報提示システム。
【発明の詳細な説明】
【技術分野】
【０００１】
本発明は、電子機器及び情報提示システムに係り、特に、所定情報を無線にて送信する機能を有する電子機器及び当該電子機器から送信された情報に関する情報を提示する情報提示システムに関する。
【背景技術】
【０００２】
近年、ＣＣＤ（Charge Coupled Device）、ＣＭＯＳ（Complementary Metal Oxide Semiconductor）イメージ・センサ等の撮像素子の高解像度化に伴い、デジタルカメラやカメラ付きＰＤＡ（Personal Digital Assistant）、カメラ付き携帯電話機等の撮影機能を備えた電子機器が多数製品化されている。
【０００３】
この種の電子機器では、撮影を行うとき、撮像素子によりデジタルデータとして得られた画像情報が、当該電子機器に対して着脱可能に構成されたスマート・メディア（SmartMedia(R)）、ＳＤカード、コンパクト・フラッシュ（CompactFlash）、ＡＴＡ（AT Attachment）カード、マイクロドライブ等の記録メディアに対して記録されるようになっている。
【０００４】
そして、当該記録メディアを、本発明の出願人が提唱するＦＤｉ等に代表されるデジタルカメラ・プリント・サービスの取扱店に持ち込むことにより、当該記録メディアに記録されている画像情報によって示される被写体像を写真プリントとして出力することやＣＤ−ＲＯＭとしてバックアップを取ることもできる。
【０００５】
ところで、この種の電子機器では、撮影を続けていくに従って上記記録メディアの残記録容量が減っていくため、ユーザが気付かないうちに撮影ができない状態となり、シャッターチャンスを逃してしまう場合があった。
【０００６】
そこで、この問題を解決するために適用できる技術として、特許文献１には、被写体の撮像画面を目視するようになされたファインダ内に、残り撮影枚数を表示する技術が開示されている。
【０００７】
一方、従来、デジタルカメラ、オーディオ・ビジュアル機器等の販売品とされた電子機器には、通常、保証書が添付されている。そして、当該保証書の記載内容に基づいて、販売日からの経過期間として予め定められた保証期間（例えば、１年間）内において、当該電子機器の故障の際には、無償修理が行われるようになっている。
【０００８】
しかしながら、メーカ側から見た場合、上記保証書においては、販売に関する情報は、販売時に販売店が販売店名の入ったゴム印を押し、販売日の日付印を押すことにより記載されるようになっている。このため、例えば贈答品等や故意により販売日の日付印が押されていない場合、販売日を特定することができない。このような場合でも、メーカ側は、ユーザの申し出に対応して無償修理を行うことも多く、本来有償修理であるはずの修理を無償で行って損失を被ることもあった。
【０００９】
そこで、この問題を解決するために、特許文献２には、製品の販売及び修理に関する履歴情報を記録するための記憶手段と、外部から上記履歴情報が入力され上記記憶手段に記録する入力部と、上記記憶手段から上記履歴情報を読み出す読出部と、を当該製品に設ける技術が開示されている。
【００１０】
当該技術により、読出部によって読み出された履歴情報から保証期間を特定することができ、この結果として、本来有償修理であるはずの修理を無償で行う事態を回避することができる。
【特許文献１】特開平５−５６３２３号公報
【特許文献２】特開平１１−１２０３０８号公報
【発明の開示】
【発明が解決しようとする課題】
【００１１】
しかしながら、上記特許文献１の技術では、機器の電源が投入されているときのみファインダに残り撮影枚数を表示しているので、このときに、うっかり確認し損なった場合には、やはりシャッターチャンスを逃してしまうため、ユーザにとっての利便性が必ずしも高くない、という問題点があった。
【００１２】
一方、上記特許文献２の技術では、前述したように、有償修理であるはずの修理を無償で行う事態を回避することができるので、メーカ側にとっては利便性が高いものの、ユーザにとっては利便性が必ずしも高くない、という問題点があった。
【００１３】
本発明は上記問題点を解消するためになされたものであり、ユーザにとっての利便性を向上させることができる電子機器及び情報提示システムを提供することを目的とする。
【課題を解決するための手段】
【００１４】
上記目的を達成するために、請求項１記載の電子機器は、撮影機能を備えた電子機器であって、前記撮影機能による撮影によって得られた被写体像を示す画像情報を記録するための記録手段と、前記記録手段の残記録容量を検出する検出手段と、前記検出手段により検出された前記残記録容量に関連する残量関連情報を無線信号として送信する通信手段と、を備えている。
【００１５】
請求項１に記載の電子機器によれば、撮影によって得られた被写体像を示す画像情報が記録手段によって記録される。なお、上記記録手段には、スマート・メディア、ＳＤカード、コンパクト・フラッシュ、ＡＴＡカード、マイクロドライブ等の可搬型の記録メディアの他、ＥＥＰＲＯＭ（Electrically Erasable and Programmable ROM）、フラッシュメモリ等の半導体メモリが含まれる。
【００１６】
ここで、本発明では、検出手段によって上記記録手段の残記録容量が検出され、当該残記録容量に関連する残量関連情報が通信手段により無線信号として送信される。
【００１７】
従って、本発明の通信手段によって送信された残量関連情報が受信可能な装置を、コンビニエンス・ストア、カメラ店、郵便局、銀行等の多店舗展開された店舗や、個人経営の各種店舗等の複数箇所に配置しておき、当該装置により残量関連情報を受信して当該情報に関する情報を提示することにより、本発明の電子機器のユーザに対して記録手段の残記録容量の状況を把握させることができ、この結果として記録手段の残記録容量不足によってシャッターチャンスを逃してしまう事態を回避することができ、ユーザにとっての利便性を向上させることができる。
【００１８】
なお、このような無線信号を受信可能な装置は、商品の盗難を防止する防犯システムとして既に多くの店舗において設置されているため、当該装置を利用することにより、多くの設備投資を要することなく本発明による効果を享受することができる。
【００１９】
このように、請求項１に記載の電子機器によれば、撮影によって得られた被写体像を示す画像情報を記録するための記録手段の残記録容量を検出し、当該残記録容量に関連する残量関連情報を無線信号として送信しているので、当該残量関連情報が受信可能な装置を複数箇所に配置しておき、当該装置により上記残量関連情報を受信して当該情報に関する情報を提示することにより、本発明の電子機器のユーザに対して記録手段の残記録容量の状況を把握させることができ、この結果として記録手段の残記録容量不足によりシャッターチャンスを逃してしまう事態を回避することができ、ユーザにとっての利便性を向上させることができる。
【００２０】
一方、上記目的を達成するために、請求項２記載の電子機器は、販売品とされた電子機器であって、前記電子機器の販売日を示す販売日情報を入力する入力手段と、前記入力手段により入力された前記販売日情報を記憶する不揮発性の記憶手段と、前記記憶手段に記憶された前記販売日情報を無線信号として送信する通信手段と、を備えている。
【００２１】
請求項２に記載の電子機器によれば、当該電子機器の販売日を示す販売日情報が入力手段によって入力される。
【００２２】
ここで、本発明では、入力手段により入力された販売日情報が不揮発性の記憶手段によって記憶され、当該記憶手段に記憶された販売日情報が通信手段により無線信号として送信される。
【００２３】
従って、本発明の通信手段によって送信された販売日情報が受信可能な装置を、コンビニエンス・ストア、カメラ店、郵便局、銀行等の多店舗展開された店舗や、個人経営の各種店舗等の複数箇所に配置しておき、当該装置により販売日情報を受信して当該情報に関する、ユーザにとっての有益な情報を提示することにより、ユーザにとっての利便性を向上させることができる。
【００２４】
なお、このような無線信号を受信可能な装置は、商品の盗難を防止する防犯システムとして既に多くの店舗において設置されているため、当該装置を利用することにより、多くの設備投資を要することなく本発明による効果を享受することができる。
【００２５】
このように、請求項２に記載の電子機器によれば、当該電子機器の販売日を示す販売日情報を入力して不揮発性の記憶手段に記憶しておき、記憶手段に記憶された当該販売日情報を無線信号として送信しているので、当該販売日情報が受信可能な装置を複数箇所に配置しておき、当該装置により上記販売日情報を受信して当該情報に関する、ユーザにとっての有益な情報を提示することにより、ユーザにとっての利便性を向上させることができる。
【００２６】
なお、請求項２に記載の発明は、請求項３に記載の発明のように、前記入力手段を、前記販売日情報を無線信号として受信することにより入力するものとすることが好ましい。これにより、本発明の通信手段を入力手段と共用させることができ、本発明を低コストで、かつ省スペースに実現することができる。
【００２７】
また、請求項２又は請求項３に記載の発明の前記記憶手段は、請求項４に記載の発明のように、前記販売日情報を読み出し専用の情報として記憶することが好ましい。これによって、販売日情報の改竄を防止することができる。
【００２８】
また、請求項１乃至請求項４の何れか１項記載の発明の前記通信手段は、請求項５に記載の発明のように、電磁誘導により駆動されるものとすることが好ましい。これによって、本発明に係る電子機器の電源が投入されていない状態（電源オフ時）においても情報を送信することができる。
【００２９】
ここで、本発明の通信手段として適用できるものとして、無線タグを例示することができる。無線タグは、半導体メモリを内蔵し、電磁誘導により電力が供給されて電池レスで駆動するものであり、電磁誘導電波をデータで変調をかけることにより、上記半導体メモリの内容の読み書きを行うことができる。なお、本発明の通信手段として適用できるものは無線タグに限らず、無線信号にて情報を送信するものであれば、如何なるものでも適用可能であることは言うまでもない。
【００３０】
更に、本発明は、請求項６に記載の発明のように、前記通信手段による通信動作を行うか否かを示す指示情報を入力する指示入力手段と、前記指示入力手段により入力された前記指示情報に応じて前記通信手段による通信動作を切り替える切替手段と、を更に備えることが好ましい。これによって、不必要な通信動作を防止することができる。
【００３１】
一方、上記目的を達成するために、請求項７記載の情報提示システムは、請求項１乃至請求項６の何れか１項記載の電子機器と、前記電子機器の前記通信手段により送信された情報を受信する受信手段、及び当該受信手段により受信された情報に関する情報を提示する提示手段を備えた情報提示装置と、を含むものである。
【００３２】
請求項７に記載の情報提示システムによれば、本発明の電子機器の通信手段により、当該電子機器における記録手段の残記録容量に関連する残量関連情報か、又は当該電子機器の販売日を示す販売日情報が送信される。
【００３３】
そして、本発明では、情報提示装置により、上記電子機器の通信手段により送信された情報（残量関連情報又は販売日情報）が受信手段によって受信され、当該情報に関する情報が提示手段によって提示される。
【００３４】
このように、請求項７に記載の情報提示システムによれば、本発明の電子機器によって当該電子機器における記録手段の残記録容量に関連する残量関連情報か、又は当該電子機器の販売日を示す販売日情報を送信し、情報提示装置によって当該情報を受信して当該情報に関する情報を提示しているので、本発明の情報提示装置を多店舗展開された店舗や、個人経営の各種店舗等の複数箇所に配置することにより、本発明の電子機器のユーザに対して有益な情報を提示することが可能となり、ユーザにとっての利便性を向上させることができる。
【００３５】
なお、請求項８に記載の発明のように、本発明の前記提示手段は、前記受信手段により受信された情報が前記残量関連情報であり、かつ当該残量関連情報により示される量が所定量以下であるとき、前記電子機器の前記記録手段に記録された画像情報により示される被写体像の印刷を促す情報、前記記録手段に記録された画像情報のバックアップを促す情報、及び前記記録手段の交換を促す情報、の少なくとも１つを提示することが好ましい。これによって、的確に電子機器における残記録容量不足に対応することができる。
【００３６】
また、請求項９に記載の発明のように、本発明の前記提示手段は、前記受信手段により受信された情報が前記販売日情報であり、かつ当該販売日情報により示される販売日からの経過日数が所定日数以下であるとき、予め定められたサービスが受けられる旨を示す情報を提示することが好ましい。これによって、ユーザにとっての利便性を、より向上させることができる。
【００３７】
更に、本発明は、請求項１０に記載の発明のように、前記提示手段を、表示により情報を提示する表示提示手段及び音声により情報を提示する音声提示手段の少なくとも一方とすることが好ましい。これによって、当該情報を視覚的に、或いは聴覚的に提示できるため、当該情報の提示による効果を、より確実に奏することができる。
【発明の効果】
【００３８】
以上説明したように、請求項１に係る電子機器によれば、撮影によって得られた被写体像を示す画像情報を記録するための記録手段の残記録容量を検出し、当該残記録容量に関連する残量関連情報を無線信号として送信しているので、当該残量関連情報が受信可能な装置を複数箇所に配置しておき、当該装置により上記残量関連情報を受信して当該情報に関する情報を提示することにより、本発明の電子機器のユーザに対して記録手段の残記録容量の状況を把握させることができ、この結果として記録手段の残記録容量不足によりシャッターチャンスを逃してしまう事態を回避することができ、ユーザにとっての利便性を向上させることができる、という効果が得られる。
【００３９】
また、請求項２に係る電子機器によれば、当該電子機器の販売日を示す販売日情報を入力して不揮発性の記憶手段に記憶しておき、記憶手段に記憶された当該販売日情報を無線信号として送信しているので、当該販売日情報が受信可能な装置を複数箇所に配置しておき、当該装置により上記販売日情報を受信して当該情報に関する、ユーザにとっての有益な情報を提示することにより、ユーザにとっての利便性を向上させることができる、という効果が得られる。
【００４０】
更に、本発明の情報提示システムによれば、本発明の電子機器によって当該電子機器における記録手段の残記録容量に関連する残量関連情報か、又は当該電子機器の販売日を示す販売日情報を送信し、情報提示装置によって当該情報を受信して当該情報に関する情報を提示しているので、本発明の情報提示装置を多店舗展開された店舗や、個人経営の各種店舗等の複数箇所に配置することにより、本発明の電子機器のユーザに対して有益な情報を提示することが可能となり、ユーザにとっての利便性を向上させることができる、という効果が得られる。
【発明を実施するための最良の形態】
【００４１】
以下、図面を参照して、本発明を実施するための最良の形態について詳細に説明する。
【００４２】
〔第１の実施の形態〕
図１には、本実施の形態に係る情報提示システム９０の基本構成が示されている。同図に示すように、この情報提示システム９０は、ユーザが所持するデジタルカメラ１０と、多店舗展開されたカメラ店に設置されたレジスター７０及び情報表示装置８０と、を含んで構成されている。
【００４３】
デジタルカメラ１０は、カメラ本体６２と、後述する液晶ディスプレイ（以下、「ＬＣＤ」という。）３８を含んで構成された情報表示部６４と、外部装置との間で各種情報の無線通信による授受を行う無線通信部６６と、を含んで構成されている。
【００４４】
また、レジスター７０は、レジスター本体７２と、各種情報を表示するＬＣＤを含んで構成された情報表示部７４と、外部装置との間で各種情報の無線通信による授受を行う無線通信部７６と、を含んで構成されている。
【００４５】
更に、情報表示装置８０は、表示装置本体８２と、各種情報を表示するＬＣＤを含んで構成された情報表示部８４と、外部装置との間で各種情報の無線通信による授受を行う無線通信部８６と、を含んで構成されている。なお、情報表示装置８０は、情報表示装置８０における情報表示部８４の表示領域が当該カメラ店に訪れたユーザによって参照可能な状態で設置されている。
【００４６】
本実施の形態に係るデジタルカメラ１０は、カメラ本体６２に装着された後述するメモリカード５２の残記録容量を検出し、当該残記録容量に関する残量関連情報を無線信号として各カメラ店に設置されたレジスター７０に対し無線通信部６６により送信する。
【００４７】
レジスター７０は、デジタルカメラ１０から送信された残量関連情報を無線通信部７６により受信し、当該残量関連情報により示されるメモリカード５２の残記録容量に関する情報を無線通信部７６によって情報表示装置８０に送信する。
【００４８】
情報表示装置８０は、レジスター７０から送信された情報を無線通信部８６により受信し、当該情報を情報表示部８４により表示する。これによって、デジタルカメラ１０のユーザは、情報表示部８４に表示されたメモリカード５２の残記録容量に関する情報を参照することができ、必要に応じて当該カメラ店でメモリカード５２に記憶されている画像情報により示される被写体像をプリント出力したり、交換用のメモリカード５２を購入したり、メモリカード５２に記憶されている画像情報のバックアップを取ったりすることができる。
【００４９】
次に、図２を参照して、本実施の形態に係るデジタルカメラ１０の外観上の構成を説明する。
【００５０】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズスイッチ（所謂シャッター）５６Ａと、電源スイッチ５６Ｂと、モード切替スイッチ５６Ｃと、が備えられている。
【００５１】
なお、本実施の形態に係るデジタルカメラ１０のレリーズスイッチ５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００５２】
そして、デジタルカメラ１０では、レリーズスイッチ５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００５３】
また、モード切替スイッチ５６Ｃは、撮影を行うモードである撮影モード及び被写体像を後述するＬＣＤ３８に再生するモードである再生モードの何れかのモードに設定する際に回転操作される。
【００５４】
一方、デジタルカメラ１０の背面には、前述のファインダ２０の接眼部と、撮影された被写体像やメニュー画面等を表示するためのＬＣＤ３８と、十字カーソルスイッチ５６Ｄと、が備えられている。なお、十字カーソルスイッチ５６Ｄは、ＬＣＤ３８の表示領域における上・下・左・右の４方向の移動方向を示す４つの矢印キーを含んで構成されている。
【００５５】
更に、デジタルカメラ１０の背面には、ＬＣＤ３８にメニュー画面を表示させるときに押圧操作されるメニュースイッチと、それまでの操作内容を確定するときに押圧操作される決定スイッチと、直前の操作内容をキャンセルするときに押圧操作されるキャンセルスイッチと、ストロボ４４の発光状態を設定するときに押圧操作されるストロボスイッチと、マクロ撮影を行うときに押圧操作されるマクロ撮影スイッチと、が備えられている。
【００５６】
なお、デジタルカメラ１０の側面には、後述するメモリカード５２が着脱可能に構成されたメモリカード装着部（図示省略）や、外部から駆動電力を供給するためのＡＣアダプタの電力供給端子が接続されるＤＣジャック（図示省略）等が設けられている。
【００５７】
また、デジタルカメラ１０の底面には、内部からの駆動電力の供給源となる電池（本実施の形態では、リチウム・イオン電池）を装填する電池装填部（図示省略）が設けられている。
【００５８】
次に、図３を参照して、本実施の形態に係るデジタルカメラ１０の電気系の構成を説明する。
【００５９】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００６０】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００６１】
なお、デジタル信号処理部３０は、所定容量のラインバッファを内蔵し、入力されたデジタルデータを後述するメモリ４８の所定領域に直接記憶させる制御も行う。
【００６２】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００６３】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データ等を記憶するメモリ４８と、メモリ４８に対するアクセスの制御を行うメモリインタフェース４６と、を含んで構成されている。
【００６４】
更に、デジタルカメラ１０は、前述した不図示のメモリカード装着部に装着された可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００６５】
なお、本実施の形態のデジタルカメラ１０では、メモリ４８としてＶＲＡＭ（Video RAM）が用いられ、メモリカード５２としてスマートメディア（Smart Media(R)）が用いられている。
【００６６】
デジタル信号処理部３０、ＬＣＤインタフェース３６、ＣＰＵ４０、メモリインタフェース４６、外部メモリインタフェース５０、及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６及び外部メモリインタフェース５０を介したアクセスを各々行うことができる。
【００６７】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００６８】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００６９】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００７０】
更に、前述のレリーズスイッチ５６Ａ、電源スイッチ５６Ｂ、モード切替スイッチ５６Ｃ、十字カーソルスイッチ５６Ｄ、メニュースイッチ等の各種スイッチ（同図では、「操作部５６」と総称。）はＣＰＵ４０に接続されており、ＣＰＵ４０は、これらの操作部５６に対する操作状態を常時把握できる。
【００７１】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００７２】
更に、デジタルカメラ１０には前述の無線通信部６６が備えられている。本実施の形態に係る無線通信部６６は無線タグをベースとして構成されている。詳細には、図４に示すように、無線通信部６６には各種情報が記憶可能とされた不揮発性の半導体記憶素子により構成されたメモリ６６Ａと、メモリ６６Ａに記憶された各種情報を無線信号として外部に送信すると共に、メモリ６６Ａに記憶すべき各種情報を外部から受信するためのアンテナ６６Ｂと、が備えられている。
【００７３】
なお、無線タグは、前述したように半導体メモリを内蔵し、電磁誘導により電力が供給されて電池レスで駆動するものであり、電磁誘導電波をデータで変調をかけることにより、上記半導体メモリの内容の読み書きを行うことができるものである。従って、該無線タグを無線通信部６６として適用する場合には、該無線通信部６６をデジタルカメラ１０に電気的に接続することなく各種情報を当該半導体メモリに書き込むこともできる。
【００７４】
しかしながら、この場合は、デジタルカメラ１０に上記電磁誘導電波を送信するための回路等が必要となり、コストが上昇することになる。また、本実施の形態では、情報提示システム９０の利便性を向上させるために、無線通信部６６による通信動作の実行／非実行をＣＰＵ４０により切り替えるようにしたい。
【００７５】
このため、本実施の形態に係るデジタルカメラ１０では、図３及び図４に示すように、無線通信部６６をシステムバスＢＵＳに電気的に接続し、ＣＰＵ４０によってメモリ６６Ａに直接アクセスできるようにすると共に、無線通信部６６による通信動作の実行／非実行をＣＰＵ４０によって切り替えられるようにしている。
【００７６】
なお、本実施の形態に係るデジタルカメラ１０は、ユーザにより、メニュースイッチの操作によってＬＣＤ３８に表示されるメニュー画面上で、十字カーソルスイッチ５６Ｄの操作により、無線通信部６６による通信動作を実行するか否かを示す指示情報を入力しかつ設定することができるものとされている。
【００７７】
更に、本実施の形態に係るデジタルカメラ１０は、電源オフ時においてカメラ店に設けられたレジスター７０からの電磁誘導により無線通信部６６に電力が供給された場合には電源が投入され、ＣＰＵ４０によって後述するカメラ通信処理が実行される。なお、電源オン時においてもレジスター７０からの電磁誘導により無線通信部６６に電力が供給された場合には、ＣＰＵ４０によって後述するカメラ通信処理が実行される。
【００７８】
次に、本実施の形態に係る情報提示システム９０の作用を説明する。まず、図５を参照して、デジタルカメラ１０で実行されるカメラ電源オン処理について説明する。なお、図５は、電源が投入されたときにＣＰＵ４０により実行されるカメラ電源オン処理プログラムの処理の流れを示すフローチャートである。
【００７９】
同図のステップ１００では、予め定められた初期処理を実行し、次のステップ１０２では、設定されている動作モード（本実施の形態では、撮影モード及び再生モードの何れか。）に応じた処理を行うカメラ撮影／再生処理を実行する。なお、動作モードとして撮影モードが設定されている場合に、本実施の形態に係るデジタルカメラ１０は次のように動作する。
【００８０】
まず、ＣＣＤ２４は光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００８１】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００８２】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行うと共に、ガンマ処理及びシャープネス処理を行って８ビットのデジタル画像データを生成する。
【００８３】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００８４】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００８５】
ここで、レリーズスイッチ５６Ａがユーザによって半押し状態とされたタイミングで前述のようにＡＥ機能が働いて露出状態が設定された後、ＡＦ機能が働いて合焦制御され、その後、引き続き全押し状態とされたタイミングで、その時点でメモリ４８に格納されているＹＣ信号を、圧縮・伸張処理回路５４によって所定の圧縮形式（本実施の形態では、ＪＰＥＧ形式）で圧縮した後に電子化ファイル（画像ファイル）として外部メモリインタフェース５０を介してメモリカード５２に記録する。
【００８６】
一方、動作モードとして再生モードが設定されている場合に、本実施の形態に係るデジタルカメラ１０は次のように動作する。
【００８７】
まず、メモリカード５２に記憶されている画像ファイルのうち、記録日時が最も新しい画像ファイルによって示される被写体像をＬＣＤ３８に表示させ、ユーザによる各種スイッチに対する操作待ちを行う。なお、画像ファイルの記録日時は、メモリカード５２のディレクトリの更新日情報及び更新時刻情報を読み出すことにより把握できる。
【００８８】
この状態で、ユーザにより十字カーソルスイッチ５６Ｄにおける左矢印キーが押圧操作されたときには、この時点でＬＣＤ３８に表示している被写体像を示す画像ファイルの記録日時の直前の記録日時となっている画像ファイルによって示される被写体像をＬＣＤ３８に表示させ、右矢印キーが押圧操作されたときには、この時点でＬＣＤ３８に表示している被写体像を示す画像ファイルの記録日時の直後の記録日時となっている画像ファイルによって示される被写体像をＬＣＤ３８に表示させる。
【００８９】
なお、上記直前の記録日時となっている画像ファイルや、上記直後の記録日時となっている画像ファイルがない場合、すなわち、この時点でＬＣＤ３８に表示している被写体像を示す画像ファイルがメモリカード５２に記録されている画像ファイルで最も古いものか、又は最も新しいものである場合には、ＬＣＤ３８に表示させる被写体像を変更しない。
【００９０】
一方、この状態でユーザによりキャンセルスイッチが押圧操作されたときには、表示中の被写体像に対応する画像ファイルの消去が指示されたものと見なして、当該画像ファイルをメモリカード５２から消去する。
【００９１】
以上のようなカメラ撮影／再生処理が実行されると、次のステップ１０４（図５参照。）では、メモリカード５２の残記録容量を検出する。なお、当該残記録容量も、メモリカード５２のディレクトリにおける全ての記録ファイルに対応するファイルサイズ情報を読み出して合計することにより検出することができる。
【００９２】
次のステップ１０６では、検出した残記録容量に基づいて、それ以降の撮影可能枚数を算出する。なお、本実施の形態では、被写体像を最も高精細で記録した場合の画像ファイルを想定し、上記残記録容量を当該画像ファイルの容量で除算して得られた値を撮影可能枚数としている。なお、これに限らず、現在設定されている解像度で記録した場合の画像ファイルを想定して算出したり、最も低精細で記録した場合の画像ファイルを想定して算出する形態とすることもできる。
【００９３】
次のステップ１０８では、算出した撮影可能枚数を示す撮影可能枚数情報を無線通信部６６のメモリ６６Ａの所定領域に記憶（更新）し、次のステップ１１０では、電源スイッチ５６Ｂがオフされたか否かを判定し、否定判定となった場合は上記ステップ１０２に戻って再び上記ステップ１０２〜ステップ１０８の処理を実行し、肯定判定となった時点で本カメラ電源オン処理プログラムを終了する。
【００９４】
以上のカメラ電源オン処理により、デジタルカメラ１０の電源が投入されている間において、設定されている動作モードによる動作が行われると共に、メモリ６６Ａに記憶されている撮影可能枚数情報がメモリカード５２の残記録容量に応じて逐次更新される。
【００９５】
次に、図６を参照して、デジタルカメラ１０で実行されるカメラ通信処理について説明する。なお、図６は、カメラ店に設けられたレジスター７０からの電磁誘導により無線通信部６６に電力が供給された場合にＣＰＵ４０によって実行されるカメラ通信処理プログラムの処理の流れを示すフローチャートである。また、ここでは、ユーザにより、無線通信部６６による通信動作を実行するか否かの指定が予め設定されている場合について説明する。
【００９６】
同図のステップ２００では、予め定められた通信起動処理を実行し、次のステップ２０２では、デジタルカメラ１０が動作中である場合における当該動作の終了待ちを行う。
【００９７】
次のステップ２０４では、ユーザにより無線通信部６６による通信動作を実行するものと設定されているか否かを判定し、否定判定となった場合は本カメラ通信処理プログラムを終了し、肯定判定となった場合にはステップ２０６に移行する。
【００９８】
ステップ２０６では、メモリ６６Ａに記憶されている撮影可能枚数情報が既にレジスター７０に送信されているか否かを判定し、肯定判定となった場合は本カメラ通信処理プログラムを終了し、否定判定となった場合にはステップ２０８に移行して、メモリ６６Ａに記憶されている撮影可能枚数情報をレジスター７０に送信した後に本カメラ通信処理プログラムを終了する。
【００９９】
次に、図７を参照して、カメラ店に設置されているレジスター７０で実行されるレジスター電源オン処理について説明する。なお、図７は、電源が投入されたときにレジスター７０のレジスター本体７２に設けられた不図示のＣＰＵにより実行されるレジスター電源オン処理プログラムの処理の流れを示すフローチャートである。
【０１００】
同図のステップ３００では、予め定められた初期処理を実行し、次のステップ３０２では、通常のレジスターと同様の処理を行うレジスター処理を実行する。以下、当該レジスター処理について、図８を参照しつつ説明する。なお、図８は、レジスター処理の実行時に上記不図示のＣＰＵにより実行されるレジスター処理プログラムの処理の流れを示すフローチャートである。
【０１０１】
まず、ステップ４００では、レジスター７０に設けられた不図示のキーに対する操作状態を認識するレジスターキー入力処理を実行し、次のステップ４０２では、上記ステップ４００の処理によって認識されたキー操作に応じた計算、表示、レシート印刷等の処理を行う。
【０１０２】
そして、次のステップ４０４では、レジスター７０に設けられた不図示の金銭トレーを開放して入出金が可能な状態とし、その後に本レジスター処理プログラムを終了してレジスター電源オン処理プログラムのステップ３０４に移行する。
【０１０３】
ステップ３０４では、予め定められた通信間隔（本実施の形態では、３秒）が経過したか否かを判定し、否定判定となった場合は上記ステップ３０２に戻り、肯定判定となった場合にはステップ３０６に移行する。
【０１０４】
ステップ３０６では、次のようにデジタルカメラ１０に対する通信処理を行う。
【０１０５】
まず、デジタルカメラ１０の無線通信部６６に対して電磁誘導による電力の供給を開始する。これに応じて、デジタルカメラ１０では、前述したカメラ通信処理（図６参照。）が実行されて、メモリ６６Ａに記憶されている撮影可能枚数情報をレジスター７０に送信するので、当該情報を、無線通信部７６を介して受信する。
【０１０６】
以上の通信処理が終了すると、次のステップ３０８では、上記ステップ３０６の処理によって受信した撮影可能枚数情報が、同一のデジタルカメラ１０から前回受信した情報から変更されたか否かを判定し、否定判定となった場合は上記ステップ３０２に戻り、肯定判定となった場合にはステップ３１０に移行する。なお、ここで、上記ステップ３０６においてデジタルカメラ１０から初めて撮影可能枚数情報を受信した場合には、無条件にステップ３１０に移行する。
【０１０７】
ステップ３１０では、上記ステップ３０６の処理により受信した撮影可能枚数情報によって示される撮影可能枚数に関する情報を表示するための画像情報を情報表示装置８０に無線通信部７６を介して送信し、その後に上記ステップ３０２に戻る。上記ステップ３１０の処理により、情報表示装置８０では、無線通信部８６を介して上記画像情報が受信され、情報表示部８４により当該画像情報によって示される画像が表示される。
【０１０８】
図９には、撮影可能枚数情報によって示される撮影可能枚数が所定数（例えば、５枚）以下である場合に情報表示部８４によって表示される画面の例が示されている。
【０１０９】
図９（Ａ）に示す例では、撮影可能枚数が少なく、メモリカード５２に記録されている画像ファイルによる被写体像のプリント出力を促す旨のメッセージが表示されている。また、図９（Ｂ）に示す例では、撮影可能枚数が少なく、メモリカード５２に記録されている画像ファイルのバックアップを促す旨のメッセージが表示されている。更に、図９（Ｃ）に示す例では、撮影可能枚数が少なく、メモリカード５２の交換を促す旨のメッセージが表示されている。
【０１１０】
このようなメッセージが、ユーザによって参照可能な状態で設置された情報表示部８４により表示されるので、ユーザは、メモリカード５２の残記録容量の状況を把握することができ、この結果としてメモリカード５２の残記録容量不足によってシャッターチャンスを逃してしまう事態を回避することができ、ユーザにとっての利便性を向上させることができる。
【０１１１】
以上詳細に説明したように、本実施の形態に係るデジタルカメラ１０では、撮影によって得られた被写体像を示す画像情報（画像ファイル）を記録するためのメモリカード５２の残記録容量を検出し、当該残記録容量に関連する残量関連情報（本実施の形態では、撮影可能枚数情報）を無線信号として送信しているので、当該残量関連情報が受信可能な装置（本実施の形態では、レジスタ７０）を複数箇所に配置しておき、当該装置により上記残量関連情報を受信して当該情報に関する情報を提示することにより、デジタルカメラ１０のユーザに対してメモリカード５２の残記録容量の状況を把握させることができ、この結果としてメモリカード５２の残記録容量不足によりシャッターチャンスを逃してしまう事態を回避することができ、ユーザにとっての利便性を向上させることができる。
【０１１２】
また、本実施の形態に係るデジタルカメラ１０では、上記撮影可能枚数情報を送信する無線通信部６６を電磁誘導により駆動されるもの（無線タグ）としているので、デジタルカメラ１０の電源が投入されていない状態（電源オフ時）においても情報を送信することが可能となる。
【０１１３】
更に、本実施の形態に係るデジタルカメラ１０では、無線通信部６６による通信動作を行うか否かを示す指示情報をメニュースイッチの操作によってＬＣＤ３８に表示されたメニュー画面上で入力し、当該指示情報に応じて無線通信部６６による通信動作を切り替えているので、不必要な通信動作を防止することができる。
【０１１４】
一方、本実施の形態に係る情報提示システム９０では、デジタルカメラ１０によって当該デジタルカメラ１０におけるメモリカード５２の残記録容量に関連する残量関連情報（本実施の形態では、撮影可能枚数情報）を送信し、レジスタ７０によって当該情報を受信して当該情報に関する情報を情報表示装置８０によって提示しているので、レジスタ７０及び情報表示装置８０を多店舗展開された店舗や、個人経営の各種店舗等の複数箇所に配置することにより、デジタルカメラ１０のユーザに対して有益な情報を提示することが可能となり、ユーザにとっての利便性を向上させることができる。
【０１１５】
また、本実施の形態に係る情報提示システム９０では、撮影可能枚数情報により示される撮影可能枚数が所定数以下であるとき、デジタルカメラ１０のメモリカード５２に記録された画像ファイルにより示される被写体像の印刷を促す情報、メモリカード５２に記録された画像ファイルのバックアップを促す情報、及びメモリカード５２の交換を促す情報、の何れかを提示するようにしているので、的確にデジタルカメラ１０における残記録容量不足に対応することができる。
【０１１６】
更に、本実施の形態に係る情報提示システム９０では、本発明の提示手段として、表示により情報を提示する情報表示部８４を適用しているので、当該情報を視覚的に提示できるため、当該情報の提示による効果を、より確実に奏することができる。
【０１１７】
〔第２の実施の形態〕
上記第１の実施の形態では、デジタルカメラ１０によってメモリカード５２の残記録容量に関連する情報を無線信号として外部に送信し、情報表示装置８０によってメモリカード５２の残記録容量に関する情報を提示する場合の形態について説明したが、本第２の実施の形態では、デジタルカメラ１０により、該デジタルカメラ１０の販売日を示す販売日情報を不揮発性のメモリにて記憶しておいて当該販売日情報を無線信号として外部に送信し、情報提示装置８０Ｂによってデジタルカメラ１０の販売日に関する情報を提示する場合の形態について説明する。
【０１１８】
まず、図１０を参照して、本第２の実施の形態に係る情報提示システム９０Ｂの構成を説明する。なお、同図における図１と同一の構成要素には図１と同一の符号を付して、その説明を省略する。
【０１１９】
同図に示されるように、本第２の実施の形態に係る情報提示システム９０Ｂは、情報表示部８４に代えて音声出力部８５が設けられた情報提示装置８０Ｂが、情報表示装置８０に代えて適用されている点のみが、上記第１の実施の形態に係る情報提示システム９０と異なっている。すなわち、情報提示システム９０Ｂでは、デジタルカメラ１０のユーザに対する各種情報の提示を、音声によって行うものとされている。
【０１２０】
なお、本第２の実施の形態に係るデジタルカメラ１０の構成は、上記第１の実施の形態と同様である（図２〜図４参照。）ので、ここでの説明は省略する。
【０１２１】
まず、図１１を参照して、デジタルカメラ１０の製造工場において製品出荷時に行われる製品情報記録処理について説明する。なお、図１１は、当該製造工場に設けられた無線タグライタ（図示省略）によってデジタルカメラ１０の出荷時に行われる製品情報記録処理プログラムの処理の流れを示すフローチャートである。
【０１２２】
このとき、製造工場では、処理対象とするデジタルカメラ１０を、無線タグライタの近傍で、かつ無線タグライタから無線通信部６６のメモリ６６Ａへの情報の書込みが可能な位置として予め定められた位置に設置する。
【０１２３】
そこで、まず、ステップ５００では、デジタルカメラ１０の所定位置への設置待ちを行い、次のステップ５０２では、設置されたデジタルカメラ１０の無線通信部６６におけるメモリ６６Ａに対して、当該デジタルカメラ１０のメーカ名及び製品名の各情報を電磁誘導により記憶し、その後に本製品情報記録処理プログラムを終了する。なお、上記ステップ５０２では、メーカ名情報及び製品名情報を、属性が読み出し専用とされた電子化ファイル（書き換え不可能なファイル）として記憶する。
【０１２４】
次に、図１２を参照して、デジタルカメラ１０の販売店において該デジタルカメラ１０の販売時に行われる販売情報記録処理について説明する。なお、図１２は、当該販売店に設けられた無線タグライタ（図示省略）によってデジタルカメラ１０の販売時に行われる販売情報記録処理プログラムの処理の流れを示すフローチャートである。
【０１２５】
このとき、販売店では、処理対象とするデジタルカメラ１０を、無線タグライタの近傍で、かつ無線タグライタから無線通信部６６のメモリ６６Ａへの情報の書込みが可能な位置として予め定められた位置に設置する。
【０１２６】
そこで、まず、ステップ６００では、デジタルカメラ１０の所定位置への設置待ちを行い、次のステップ６０２では、設置されたデジタルカメラ１０の無線通信部６６におけるメモリ６６Ａに対して、販売日、販売店名、販売員名の各情報を電磁誘導により記憶し、その後に本販売情報記録処理プログラムを終了する。なお、上記ステップ６０２では、各情報を、属性が読み出し専用とされた電子化ファイル（書き換え不可能なファイル）として記憶する。
【０１２７】
なお、以上の製品情報記録処理プログラム及び販売情報記録処理プログラムによってメモリ６６Ａに記憶された各情報は読み出し専用ファイルとして記憶されているため、ユーザにより容易には改竄することができない。
【０１２８】
次に、図１３を参照して、デジタルカメラ１０で実行されるカメラ通信処理について説明する。なお、図１３は、カメラ店に設けられたレジスター７０からの電磁誘導により無線通信部６６に電力が供給された場合にＣＰＵ４０によって実行されるカメラ通信処理プログラムの処理の流れを示すフローチャートであり、図６と同様の処理を行うステップには図６と同一のステップ番号を付して、その説明を省略する。また、ここでも、ユーザにより、無線通信部６６による通信動作を実行するか否かの指定が予め設定されている場合について説明する。
【０１２９】
ステップ２０４においてユーザにより無線通信部６６による通信動作を実行するものと設定されていると判定された場合、ステップ２０６Ａでは、メモリ６６Ａに記憶されているメーカ名、製品名、販売日、販売店名、販売員名の各情報が既にレジスター７０に送信されているか否かを判定し、肯定判定となった場合は本カメラ通信処理プログラムを終了し、否定判定となった場合にはステップ２０８Ａに移行して、メモリ６６Ａに記憶されているこれらの情報をレジスター７０に送信した後に本カメラ通信処理プログラムを終了する。
【０１３０】
次に、図１４を参照して、カメラ店に設置されているレジスター７０で実行されるレジスター電源オン処理について説明する。なお、図１４は、電源が投入されたときにレジスター７０のレジスター本体７２に設けられた不図示のＣＰＵにより実行されるレジスター電源オン処理プログラムの処理の流れを示すフローチャートであり、図７と同様の処理を行うステップには図７と同一のステップ番号を付して、その説明を省略する。
【０１３１】
ステップ３０４において肯定判定となった場合、すなわち、予め定められた通信間隔（本実施の形態では、３秒）が経過した場合はステップ３０６Ａに移行し、次のようにデジタルカメラ１０に対する通信処理を行う。
【０１３２】
まず、デジタルカメラ１０の無線通信部６６に対して電磁誘導による電力の供給を開始する。これに応じて、デジタルカメラ１０では、前述したカメラ通信処理（図１３参照。）が実行されて、メモリ６６Ａに記憶されているメーカ名、製品名、販売日、販売店名、販売員名の各情報をレジスター７０に送信するので、当該情報を、無線通信部７６を介して受信する。
【０１３３】
以上の通信処理が終了すると、次のステップ３０８Ａでは、上記ステップ３０６Ａの処理によって受信した情報が、同一のデジタルカメラ１０から前回受信した情報から変更されたか否かを判定し、否定判定となった場合は上記ステップ３０２に戻り、肯定判定となった場合にはステップ３１０Ａに移行する。なお、ここで、上記ステップ３０６Ａにおいてデジタルカメラ１０から初めて当該情報を受信した場合には、無条件にステップ３１０Ａに移行する。
【０１３４】
ステップ３１０Ａでは、上記ステップ３０６Ａの処理により受信した販売日情報によって示される販売日に関する情報を提示するための情報を情報提示装置８０Ｂに無線通信部７６を介して送信し、その後に上記ステップ３０２に戻る。
【０１３５】
なお、ここで情報提示装置８０Ｂに送信する情報としては、上記販売日からの経過日数が所定期間（例えば、１年間）以内であり、かつ受信したメーカ名情報により示されるメーカが予め定められたメーカである場合には、一例として「Ａ社製のデジタルカメラを購入して１年以内の方はプリント１枚無料サービス中！」という旨のメッセージを示す情報を例示することができる。
【０１３６】
このような情報を受信した情報提示装置８０Ｂでは、音声出力部８５により当該情報が音声として再生される。
【０１３７】
なお、当該カメラ店には、無線タグリーダ（図示省略）が設置されており、ユーザからの申し出に応じてデジタルカメラ１０の無線通信部６６におけるメモリ６６Ａからメーカ名、製品名、販売日、販売店名、販売員名の各情報を読み出し、サービス対象者であることを確認した上で当該プリント無料サービスを実施する。
【０１３８】
以上詳細に説明したように、本実施の形態に係るデジタルカメラ１０では、デジタルカメラ１０の販売日を示す販売日情報を入力して無線通信部６６のメモリ６６Ａに記憶しておき、メモリ６６Ａに記憶された当該販売日情報を無線信号として送信しているので、当該販売日情報が受信可能な装置（本実施の形態では、レジスタ７０）を複数箇所に配置しておき、当該装置により上記販売日情報を受信して当該情報に関する、ユーザにとっての有益な情報を提示することにより、ユーザにとっての利便性を向上させることができる。
【０１３９】
また、本実施の形態に係るデジタルカメラ１０では、上記販売日情報を無線信号として受信することにより無線通信部６６により入力するものとしているので、当該販売日情報を無線通信部６６とは異なるもので入力する場合に比較して、低コストで、かつ省スペースにデジタルカメラ１０を構成することができる。
【０１４０】
また、本実施の形態に係るデジタルカメラ１０では、上記販売日情報を読み出し専用の情報としてメモリ６６Ａに記憶しているので、当該販売日情報の改竄を防止することができる。
【０１４１】
また、本実施の形態に係るデジタルカメラ１０では、上記販売日情報を送信する無線通信部６６を電磁誘導により駆動されるもの（無線タグ）としているので、デジタルカメラ１０の電源が投入されていない状態（電源オフ時）においても情報を送信することが可能となる。
【０１４２】
更に、本実施の形態に係るデジタルカメラ１０では、無線通信部６６による通信動作を行うか否かを示す指示情報をメニュースイッチの操作によってＬＣＤ３８に表示されたメニュー画面上で入力し、当該指示情報に応じて無線通信部６６による通信動作を切り替えているので、不必要な通信動作を防止することができる。
【０１４３】
一方、本実施の形態に係る情報提示システム９０では、デジタルカメラ１０によって当該デジタルカメラ１０の販売日を示す販売日情報を送信し、レジスタ７０によって当該情報を受信して当該情報に関する情報を情報提示装置８０Ｂによって提示しているので、レジスタ７０及び情報提示装置８０Ｂを多店舗展開された店舗や、個人経営の各種店舗等の複数箇所に配置することにより、デジタルカメラ１０のユーザに対して有益な情報を提示することが可能となり、ユーザにとっての利便性を向上させることができる。
【０１４４】
また、本実施の形態に係る情報提示システム９０では、上記販売日情報により示される販売日からの経過日数が所定日数以下であるとき、予め定められたサービスが受けられる旨を示す情報を提示しているので、ユーザにとっての利便性を、より向上させることができる。
【０１４５】
更に、本実施の形態に係る情報提示システム９０では、本発明の提示手段として、音声により情報を提示する音声出力部８５を適用しているので、当該情報を聴覚的に提示できるため、当該情報の提示による効果を、より確実に奏することができる。
【０１４６】
なお、上記各実施の形態では、無線通信部６６として無線タグをデジタルカメラ１０に内蔵して、ＣＰＵ４０と電気的に接続する場合について説明したが、本発明はこれに限定されるものではなく、例えば、無線タグをＣＰＵ４０と電気的に接続することなく、デジタルカメラ１０の外部に設ける形態とすることもできる。
【０１４７】
この場合、上記第１の実施の形態に係るデジタルカメラ１０では、無線タグに内蔵されたメモリに対して電磁誘導電波により残量関連情報を書き込むことになり、レジスター７０は、当該無線タグに書き込まれた情報を電磁誘導によって能動的に読み出すことになる。また、この場合、上記第２の実施の形態に係るレジスター７０も、当該無線タグに書き込まれた販売日情報を電磁誘導によって能動的に読み出すことになる。
【０１４８】
これらの場合も、上記各実施の形態と同様の効果を奏することができる。
【０１４９】
また、上記各実施の形態では、レジスター７０によりデジタルカメラ１０と各種情報の授受を行う場合について説明したが、本発明はこれに限定されるものではなく、例えば、情報表示装置８０や情報提示装置８０Ｂによりデジタルカメラ１０と各種情報の授受を行う形態とすることもできる。この場合も、上記各実施の形態と同様の効果を奏することができる。
【０１５０】
また、上記各実施の形態に係る情報提示システム９０、９０Ｂやデジタルカメラ１０の構成（図１〜図４、図１０参照。）は一例であり、本発明の主旨を逸脱しない範囲内において適宜変更可能であることは言うまでもない。
【０１５１】
例えば、上記第１の実施の形態では、情報提示システム９０の店舗側のシステムとして本発明の提示手段としての情報表示部８４を、本発明の受信手段としての無線通信部７６を備えたレジスター７０とは別体として構成された情報表示装置８０に設けた場合について説明し、上記第２の実施の形態では、情報提示システム９０Ｂの店舗側のシステムとして本発明の提示手段としての音声出力部８５を、本発明の受信手段としての無線通信部７６を備えたレジスター７０とは別体として構成された情報提示装置８０Ｂに設けた場合について説明したが、本発明の提示手段と受信手段とを単一の装置に設ける形態とすることもできる。この場合も、上記各実施の形態と同様の効果を奏することができる。
【０１５２】
また、例えば、上記各実施の形態では、本発明の電子機器としてデジタルカメラを適用した場合について説明したが、これに限らず、ＰＤＡ、ノートブック型パーソナル・コンピュータ、携帯電話機等のあらゆる機器を適用することができる。
【０１５３】
更に、上記各実施の形態において説明した各種処理プログラム（図５〜図８、図１１〜図１４参照。）の処理の流れも一例であり、本発明の主旨を逸脱しない範囲内において適宜変更可能であることは言うまでもない。
【図面の簡単な説明】
【０１５４】
【図１】第１の実施の形態に係る情報提示システム９０の基本構成を示すブロック図である。
【図２】実施の形態に係るデジタルカメラ１０の外観を示す外観図である。
【図３】実施の形態に係るデジタルカメラ１０の電気系の構成を示すブロック図である。
【図４】デジタルカメラ１０の無線通信部６６の詳細構成を示すブロック図である。
【図５】実施の形態に係るカメラ電源オン処理プログラムの処理の流れを示すフローチャートである。
【図６】第１の実施の形態に係るカメラ通信処理プログラムの処理の流れを示すフローチャートである。
【図７】第１の実施の形態に係るレジスター電源オン処理プログラムの処理の流れを示すフローチャートである。
【図８】レジスター電源オン処理プログラムの実行途中で実行されるレジスター処理プログラムの処理の流れを示すフローチャートである。
【図９】第１の実施の形態に係るメモリカードの残記録容量に関する情報の表示画面例を示す概略図である。
【図１０】第２の実施の形態に係る情報提示システム９０Ｂの基本構成を示すブロック図である。
【図１１】第２の実施の形態に係る製品情報記録処理プログラムの処理の流れを示すフローチャートである。
【図１２】第２の実施の形態に係る販売情報記録処理プログラムの処理の流れを示すフローチャートである。
【図１３】第２の実施の形態に係るカメラ通信処理プログラムの処理の流れを示すフローチャートである。
【図１４】第２の実施の形態に係るレジスター電源オン処理プログラムの処理の流れを示すフローチャートである。
【符号の説明】
【０１５５】
１０    デジタルカメラ
４０    ＣＰＵ（検出手段、切替手段）
５２    メモリカード（記録手段）
５６Ｄ    十字カーソルスイッチ（指示入力手段）
６６    無線通信部（通信手段、入力手段）
６６Ａ    メモリ（記憶手段）
７０    レジスター
７６    無線通信部（受信手段）
８０    情報表示装置
８０Ｂ    情報提示装置
８４    情報表示部（提示手段）
８５    音声出力部（提示手段）
８６    無線通信部
９０、９０Ｂ    情報提示システム
【図１】
2005086743.tif 000003
【図２】
2005086743.tif 000004
【図３】
2005086743.tif 000005
【図４】
2005086743.tif 000006
【図５】
2005086743.tif 000007
【図６】
2005086743.tif 000008
【図７】
2005086743.tif 000009
【図８】
2005086743.tif 000010
【図９】
2005086743.tif 000011
【図１０】
2005086743.tif 000012
【図１１】
2005086743.tif 000013
【図１２】
2005086743.tif 000014
【図１３】
2005086743.tif 000015
【図１４】
2005086743.tif 000016